(57)【要約】【課題】消費電力を節減することができる表示装置及びその駆動方法を提供する。【解決手段】  本発明は、ゲート線及びデータ線に接続されている画素を含む表示パネルと、前記データ線と接続されてデータ電圧を印加するデータ駆動部と、前記ゲート線と接続されてゲートオン電圧を順次に印加するゲート駆動部と、前記表示パネル、前記データ駆動部、及び前記ゲート駆動部を制御する信号制御部と、を含み、前記信号制御部は、動画である場合には動画の周波数で表示し、静止画である場合には前記動画の周波数より低い静止画の周波数または１０Ｈｚ以下の超低周波数で前記表示パネル、前記データ駆動部、及び前記ゲート駆動部を動作させる表示装置及びその駆動方法に関する。【選択図】図２
2014215612.tif 000002
【特許請求の範囲】
【請求項１】
ゲート線及びデータ線に接続されている画素を含む表示パネルと、
前記データ線と接続されてデータ電圧を印加するデータ駆動部と、
前記ゲート線と接続されてゲートオン電圧を順次に印加するゲート駆動部と、
前記表示パネル、前記データ駆動部、及び前記ゲート駆動部を制御する信号制御部と、を含み、
前記信号制御部は、動画である場合には動画の周波数で表示し、静止画である場合には前記動画の周波数より低い静止画の周波数または１０Ｈｚ以下の超低周波数で前記表示パネル、前記データ駆動部、及び前記ゲート駆動部を動作させる、表示装置。
【請求項２】
前記動画の周波数が６０Ｈｚのとき、前記静止画の周波数は３０Ｈｚ以上、４０Ｈｚ以下である、請求項１に記載の表示装置。
【請求項３】
前記信号制御部は、外部からＰＳＲ信号の印加を受けて、表示する画像が動画か静止画かを確認する、請求項２に記載の表示装置。
【請求項４】
表示する画面がテキスト画面の場合に、前記信号制御部が前記超低周波数で前記表示パネル、前記データ駆動部、及び前記ゲート駆動部を動作させる、請求項２に記載の表示装置。
【請求項５】
前記テキスト画面であるか否かは、入力データのうちの１フレームのデータを、階調を基準に低階調領域、中間階調領域、及び高階調領域のうちのいずれの領域に含まれているデータであるかで分類し、前記低階調領域と前記高階調領域に一定比率以上のデータが含まれているのかを判断して決定される、請求項４に記載の表示装置。
【請求項６】
前記テキスト画面であるか否かは、入力データのうちの特定個数以上のデータを有する主要階調の個数を把握し、その個数が一定数以下であるかを判断して決定され、前記信号制御部は、前記テキスト画面であるか否かを把握して駆動周波数及びレジスタ値を選択する駆動条件設定部を含む、請求項４に記載の表示装置。
【請求項７】
前記駆動条件設定部は、
入力データのうちの１フレームのデータを、階調を基準に低階調領域、中間階調領域、及び高階調領域のうちのいずれの領域に含まれているデータであるかを分類し、前記低階調領域と前記高階調領域に一定比率以上のデータが含まれているのかを判断して前記テキスト画面であるかを把握するヒストグラムチェック部と、
前記入力データのうちの特定個数以上のデータを有する主要階調の個数を把握し、その個数が一定数以下であるかを判断し決定して前記テキスト画面であるかを把握するグレーチェック部と、
前記ヒストグラムチェック部及び前記グレーチェック部の出力が伝達されて、ＡＮＤ演算またはＯＲ演算を行う併合部と、
前記併合部の出力によって駆動周波数を選択する周波数選択部と、
選択された前記駆動周波数によってレジスタ値を選択するレジスタ選択部と、を含む、請求項６に記載の表示装置。
【請求項８】
前記駆動条件設定部は、
入力データのうちの１フレームのデータを、階調を基準に低階調領域、中間階調領域、及び高階調領域のうちのいずれの領域に含まれているデータであるかを分類し、前記低階調領域と前記高階調領域に一定比率以上のデータが含まれているのかを判断して前記テキスト画面であるかを把握するヒストグラムチェック部と、
前記入力データのうちの特定個数以上のデータを有する主要階調の個数を把握して、その個数が一定数以下であるかを判断し決定して前記テキスト画面であるかを把握するグレーチェック部と、
前記ヒストグラムチェック部及び前記グレーチェック部の出力が伝達されて、ＡＮＤ演算またはＯＲ演算を行う併合部と、
前記併合部の出力及び前記グレーチェック部から印加を受けた主階調の値によって駆動周波数を選択する周波数選択部と、
選択された前記駆動周波数によってレジスタ値を選択するレジスタ選択部と、を含む、請求項６に記載の表示装置。
【請求項９】
前記駆動条件設定部は、前記テキスト画面が表示されても空間周波数によって前記超低周波数で駆動しないようにする、請求項６に記載の表示装置。
【請求項１０】
前記駆動条件設定部は、
前記空間周波数を抽出する空間周波数分析部と、
前記抽出された空間周波数によって使用者のコントラスト比の認知程度を把握する視力適用部と、
前記コントラスト比の認知程度に基づいて駆動周波数を選択する周波数選択部と、
選択された前記駆動周波数によってレジスタ値を選択するレジスタ選択部と、を含む、請求項９に記載の表示装置。
【請求項１１】
前記表示装置はカメラをさらに含み、
前記カメラは、使用者と前記表示装置間の距離を測定して、前記駆動条件設定部の前記空間周波数分析部に伝達し、
測定された前記距離は、前記空間周波数分析部で前記空間周波数を把握するのに使用される、請求項１０に記載の表示装置。
【請求項１２】
前記信号制御部は駆動条件設定部を含み、
前記駆動条件設定部は、
前記空間周波数を抽出する空間周波数分析部と、
前記抽出された空間周波数によって使用者のコントラスト比の認知程度を把握する視力適用部と、
前記コントラスト比の認知程度に基づいて駆動周波数を選択する周波数選択部と、
選択された前記駆動周波数によってレジスタ値を選択するレジスタ選択部と、を含む、請求項１に記載の表示装置。
【請求項１３】
前記表示装置はカメラをさらに含み、
前記カメラは、使用者と前記表示装置間の距離を測定して、前記駆動条件設定部の前記空間周波数分析部に伝達し、
測定された前記距離は、前記空間周波数分析部で前記空間周波数を把握するのに使用される、請求項１２に記載の表示装置。
【請求項１４】
入力データの印加を受ける段階と、
前記入力データを分析して動画、静止画、及びテキスト画面のいずれか一つに分類する段階と、
前記動画である場合には動画の周波数を駆動周波数に選択し、前記静止画である場合には前記動画の周波数より低い静止画の周波数を前記駆動周波数に選択し、前記テキスト画面である場合には１０Ｈｚ以下の超低周波数を前記駆動周波数に選択する段階と、
選択された前記駆動周波数によってレジスタ値を選択する段階と、を含む、表示装置の駆動方法。
【請求項１５】
前記動画の周波数が６０Ｈｚのとき、前記静止画の周波数は３０Ｈｚ以上、４０Ｈｚ以下である、請求項１４に記載の表示装置の駆動方法。
【請求項１６】
前記入力データが印加される段階でＰＳＲ信号が共に印加され、
前記入力データを分析する段階は、前記ＰＳＲ信号によって前記入力データが前記動画か前記静止画かを分類する、請求項１５に記載の表示装置の駆動方法。
【請求項１７】
前記入力データを分析する段階で前記テキスト画面に分類する場合は、前記入力データのうちの１フレームのデータを、階調を基準に低階調領域、中間階調領域、及び高階調領域のうちのいずれの領域に含まれているデータであるかを分類し、前記低階調領域と前記高階調領域に一定比率以上のデータが含まれているのかを判断して決定する、請求項１５に記載の表示装置の駆動方法。
【請求項１８】
前記入力データを分析する段階で前記テキスト画面に分類する場合は、前記入力データのうちの特定個数以上のデータを有する主要階調の個数を把握し、その個数が一定数以下であるかを判断して決定する、請求項１７に記載の表示装置の駆動方法。
【請求項１９】
前記入力データを分析する段階で前記テキスト画面に分類する場合は、前記入力データのうちの特定個数以上のデータを有する主要階調の個数を把握し、その個数が一定数以下であるかを判断して決定する、請求項１５に記載の表示装置の駆動方法。
【請求項２０】
空間周波数によって使用者のコントラスト比の認知程度を把握する段階をさらに含み、
把握された前記コントラスト比の認知程度によって前記テキスト画面である場合にも、１０Ｈｚ以下の超低周波数を前記駆動周波数に選択しないようにする、請求項１５に記載の表示装置の駆動方法。
【請求項２１】
前記空間周波数は、使用者と前記表示装置間の距離に基づいて決定される、請求項２０に記載の表示装置の駆動方法。
【発明の詳細な説明】
【技術分野】
【０００１】
本発明は、表示装置及びその駆動方法に関し、より詳しくは、消費電力を節減することができる表示装置及びその駆動方法に関する。
【背景技術】
【０００２】
今日、幅広く利用されるコンピュータモニタ、テレビ、携帯電話機などには表示装置が必要である。表示装置には陰極線管表示装置、液晶表示装置、プラズマ表示装置などがある。
【０００３】
このような表示装置は表示パネル及び信号制御部を含む。信号制御部は、外部から印加された映像信号と共に、表示パネルを駆動するための制御信号を生成して、表示パネルに伝送して表示装置を駆動する。
【０００４】
表示パネルが表示する画像は、大きく静止画と動画とに区分される。表示パネルは１秒当たり複数のフレームを示し、このとき、各フレームが有する映像データが同一であれば静止画を表示するようになる。また、各フレームが有する映像データが異なれば動画を表示するようになる。
【０００５】
このとき、信号制御部は、表示パネルが動画を表示するときだけでなく、静止画を表示するときにも、グラフィック処理装置から同一の映像データが毎フレームごとに伝送されて、消費電力が多く消費されるという問題点があった。
【先行技術文献】
【特許文献】
【０００６】
【特許文献１】2000-330542号公報
【発明の概要】
【発明が解決しようとする課題】
【０００７】
本発明の目的は、消費電力を節減することができる表示装置及びその駆動方法を提供することにある。
【課題を解決するための手段】
【０００８】
このような課題を解決するために、本発明の実施形態による表示装置は、ゲート線及びデータ線に接続されている画素を含む表示パネルと、前記データ線と接続されてデータ電圧を印加するデータ駆動部と、前記ゲート線と接続されてゲートオン電圧を順次に印加するゲート駆動部と、前記表示パネル、前記データ駆動部、及び前記ゲート駆動部を制御する信号制御部と、を含み、前記信号制御部は、動画である場合には動画の周波数で表示し、静止画である場合には前記動画の周波数より低い静止画周波数または１０Ｈｚ以下の超低周波数で前記表示パネル、前記データ駆動部、及び前記ゲート駆動部を動作させる。
【０００９】
前記動画の周波数が６０Ｈｚのとき、前記静止画周波数は３０Ｈｚ以上、４０Ｈｚ以下でであってもよい。
【００１０】
前記信号制御部は、外部からＰＳＲ信号の印加を受けて、表示する画像が動画か静止画かを確認してもよい。
【００１１】
表示する画面がテキスト画面である場合、前記信号制御部が前記超低周波数で前記表示パネル、前記データ駆動部、及び前記ゲート駆動部を動作させてもよい。
【００１２】
前記テキスト画面であるか否かは、入力データのうちの１フレームのデータを、階調を基準に低階調領域、中間階調領域、及び高階調領域のうちのいずれの領域に含まれているデータであるかを分類し、前記低階調領域と前記高階調領域に一定比率以上のデータが含まれているのかを判断して決定されてもよい。
【００１３】
前記テキスト画面であるか否かは、入力データのうちの特定個数以上のデータを有する主要階調の個数を把握し、その個数が一定数以下であるかを判断して決定され、前記信号制御部は、前記テキスト画面であるか否かを把握して駆動周波数及びレジスタ値を選択する駆動条件設定部を含んでもよい。
【００１４】
前記駆動条件設定部は、入力データのうちの１フレームのデータを、階調を基準に低階調領域、中間階調領域、及び高階調領域のうちのいずれの領域に含まれているデータであるかを分類し、前記低階調領域と前記高階調領域に一定比率以上のデータが含まれているのかを判断して前記テキスト画面であるかを把握するヒストグラムチェック部と、前記入力データのうちの特定個数以上のデータを有する主要階調の個数を把握して、その個数が一定数以下であるかを判断し決定して前記テキスト画面であるかを把握するグレーチェック部と、前記ヒストグラムチェック部及び前記グレーチェック部の出力が伝達されて、ＡＮＤ演算またはＯＲ演算を行う併合部と、前記併合部の出力によって駆動周波数を選択する周波数選択部と、選択された前記駆動周波数によってレジスタ値を選択するレジスタ選択部と、を含んでもよい。
【００１５】
前記駆動条件設定部は、入力データのうちの１フレームのデータを、階調を基準に低階調領域、中間階調領域、及び高階調領域のうちのいずれの領域に含まれているデータであるかを分類し、前記低階調領域と前記高階調領域に一定比率以上のデータが含まれているのかを判断して前記テキスト画面であるかを把握するヒストグラムチェック部と、前記入力データのうちの特定個数以上のデータを有する主要階調の個数を把握し、その個数が一定数以下であるかを判断し決定して前記テキスト画面であるかを把握するグレーチェック部と、前記ヒストグラムチェック部及び前記グレーチェック部の出力が伝達されて、ＡＮＤ演算またはＯＲ演算を行う併合部と、前記併合部の出力及び前記グレーチェック部から印加された主階調の値によって駆動周波数を選択する周波数選択部と、選択された前記駆動周波数によってレジスタ値を選択するレジスタ選択部と、を含んでもよい。
【００１６】
前記駆動条件設定部は、前記テキスト画面が表示されても空間周波数によって前記超低周波数で駆動しないようにしてもよい。
【００１７】
前記駆動条件設定部は、前記空間周波数を抽出する空間周波数分析部と、前記抽出された空間周波数によって使用者のコントラスト比の認知程度を把握する視力適用部と、前記コントラスト比の認知程度に基づいて駆動周波数を選択する周波数選択部と、選択された前記駆動周波数によってレジスタ値を選択するレジスタ選択部と、を含んでもよい。
【００１８】
前記表示装置はカメラをさらに含み、前記カメラは使用者と前記表示装置間の距離を測定して、前記駆動条件設定部の前記空間周波数分析部に伝達し、測定された前記距離は、前記空間周波数分析部で前記空間周波数を把握するのに用いられてもよい。
【００１９】
本発明の実施形態による表示装置の駆動方法は、入力データの印加を受ける段階と、前記入力データを分析して動画、静止画、及びテキスト画面のいずれか一つに分類する段階と、前記動画である場合には動画の周波数を駆動周波数に選択し、前記静止画である場合には前記動画の周波数より低い静止画周波数を前記駆動周波数に選択し、前記テキスト画面である場合には１０Ｈｚ以下の超低周波数を前記駆動周波数に選択する段階と、選択された前記駆動周波数によってレジスタ値を選択する段階と、を含む。
【００２０】
前記動画の周波数が６０Ｈｚのとき、前記静止画周波数は、３０Ｈｚ以上、４０Ｈｚ以下であってもよい。
【００２１】
前記入力データが印加される段階でＰＳＲ信号が共に印加され、前記入力データを分析する段階は、前記ＰＳＲ信号によって前記入力データが前記動画か前記静止画かを分類してもよい。
【００２２】
前記入力データを分析する段階で、前記テキスト画面に分類する場合は、前記入力データのうちの１フレームのデータを、階調を基準に低階調領域、中間階調領域、及び高階調領域のうちのいずれの領域に含まれているデータであるかを分類し、前記低階調領域と前記高階調領域に一定比率以上のデータが含まれているのかを判断して決定してもよい。
【００２３】
前記入力データを分析する段階で、前記テキスト画面に分類する場合は、前記入力データのうちの特定個数以上のデータを有する主要階調の個数を把握し、その個数が一定数以下であるかを判断して決定してもよい。
【００２４】
空間周波数によって使用者のコントラスト比の認知程度を把握する段階をさらに含み、把握された前記コントラスト比の認知程度によって前記テキスト画面である場合にも１０Ｈｚ以下の超低周波数を前記駆動周波数に選択しないようにしてもよい。
【００２５】
前記空間周波数は、使用者と前記表示装置間の距離に基づいて決定されてもよい。
【発明の効果】
【００２６】
本発明によれば、消費電力を節減することができる表示装置及びその駆動方法を提供することができる。
【図面の簡単な説明】
【００２７】
【図１】本発明の一実施形態による表示装置のブロック図である。
【図２】本発明の一実施形態による信号制御部のうちの駆動条件設定部のブロック図である。
【図３】本発明の一実施形態によるヒストグラムチェックの例である。
【図４】本発明の一実施形態によるヒストグラムチェックの例である。
【図５】本発明の一実施形態によるグレーチェックの例である。
【図６】本発明の一実施形態による表示装置で画像を表示する方式を簡略化した図面である。
【図７】本発明の一実施形態による表示装置で画像を表示する方式を簡略化した図面である。
【図８】本発明の一実施形態による表示装置で画像を表示する方式を簡略化した図面である。
【図９】本発明の一実施形態による表示装置で階調による特性変化を示した図面である。
【図１０】本発明の一実施形態による表示装置で階調による特性変化を示した図面である。
【図１１】本発明の一実施形態による表示装置で階調による特性変化を示した図面である。
【図１２】本発明の一実施形態による表示装置の消費電力の減少率を示した図面である。
【図１３】本発明の他の実施形態による信号制御部のうちの駆動条件設定部のブロック図である。
【図１４】図１３の実施形態で階調による駆動周波数を示したグラフである。
【図１５】空間周波数による表示特性を示したグラフである。
【図１６】本発明の他の実施形態による信号制御部のうちの駆動条件設定部のブロック図である。
【図１７】本発明の他の実施形態による表示装置のブロック図である。
【図１８】図１７の実施形態による信号制御部のうちの駆動条件設定部のブロック図である。
【図１９】本発明の一実施形態による表示装置の駆動方法に対するフローチャートである。
【発明を実施するための形態】
【００２８】
添付した図面を参照しながら、本発明の実施形態について、本発明が属する技術分野における通常の知識を有する者が容易に実施できるように詳細に説明する。しかし、本発明は種々の異なる形態に実現でき、ここで説明する実施形態に限られない。
【００２９】
図面において、種々の層及び領域を明確に表現するために厚さを拡大して示した。明細書の全体にわたって類似する部分に対しては同一の図面符号を付けた。層、膜、領域、板などの部分が他の部分の「上」にあるというとき、これは他の部分の「すぐ上」にある場合だけでなく、その中間に他の部分がある場合も含む。一方、ある部分が他の部分の「すぐ上」にあるというときには、中間に他の部分がないことを意味する。
【００３０】
以下、本発明の実施形態による表示装置について、図１を参照して詳細に説明する。
【００３１】
図１は、本発明の一実施形態による表示装置のブロック図である。
【００３２】
本発明の一実施形態による表示装置１００は、図１に示したように、映像を表示する表示パネル３００と、表示パネル３００を駆動するデータ駆動部５００と、ゲート駆動部４００と、データ駆動部５００及びゲート駆動部４００を制御する信号制御部６００と、を含む。また、図１では表示装置１００の外部に位置するグラフィック処理部（ＧＰＵ；１０）も示している。
【００３３】
グラフィック処理部１０は、表示装置１００で表示する画像に対するデータである入力データ（ｉｎｐｕｔ  ｄａｔａ）と、当該画像が静止画か動画かを区分できる区分信号であるＰＳＲ（ｐａｎｅｌ  ｓｅｌｆ  ｒｅｆｒｅｓｈ）信号とを提供する。ＰＳＲ信号は静止画であるため、表示装置１００が自ら既存のフレームの映像を表示するようにする信号であってもよい。
【００３４】
グラフィック処理部１０の入力データ及びＰＳＲ信号の印加を受けた表示装置１００は、画像を表示する動作を行うようになり、以下、表示装置１００の各部分について詳細に説明する。
【００３５】
先ず、表示パネル３００について説明する。以下で表示パネル３００は液晶表示パネルを中心に説明する。しかし、本発明が適用できる表示パネル３００は、液晶表示パネル以外に有機発光表示パネル、電気泳動表示パネル、プラズマ表示パネルなど多様な表示パネルが用いられる。
【００３６】
表示パネル３００は、複数のゲート線Ｇ１−Ｇｎと、複数のデータ線Ｄ１−Ｄｍとを含む。複数のゲート線Ｇ１−Ｇｎは図１において横方向に延長されており、複数のデータ線Ｄ１−Ｄｍは、複数のゲート線Ｇ１−Ｇｎと交差して、図１において縦方向に延長されている。
【００３７】
一つのゲート線Ｇ１−Ｇｎ及び一つのデータ線Ｄ１−Ｄｍは一つの画素ＰＸと接続されている。画素ＰＸはマトリックス状に配列されており、各画素ＰＸは、薄膜トランジスタ、液晶キャパシタ、及び維持キャパシタを含む。薄膜トランジスタの制御端子は一つのゲート線Ｇ１−Ｇｎに接続され、薄膜トランジスタの入力端子は一つのデータ線Ｄ１−Ｄｍに接続され、薄膜トランジスタの出力端子は液晶キャパシタの一側端子（画素電極）及び維持キャパシタの一側端子に接続される。液晶キャパシタの他側端子は共通電極に接続され、維持キャパシタの他側端子は信号制御部６００から印加される維持電圧Ｖｃｓｔの印加を受ける。実施形態によっては、薄膜トランジスタのチャネル層は非晶質シリコンまたはポリシリコンであってもよい。
【００３８】
信号制御部６００は、外部から入力される入力データ（ｉｎｐｕｔｄａｔａ）、ＰＳＲ信号及びその制御信号、例えば、垂直同期信号Ｖｓｙｎｃ、水平同期信号Ｈｓｙｎｃ、メインクロック信号ＭＣＬＫ、及びデータイネーブル信号ＤＥなどに応答して液晶表示パネル３００の動作条件に適するように処理した後、映像データＤＡＴ、ゲート制御信号ＣＯＮＴ１、データ制御信号ＣＯＮＴ２、及びクロックｃｌｏｃｋ信号を生成して出力する。
【００３９】
ゲート制御信号ＣＯＮＴ１は、ゲートオン電圧Ｖｏｎの出力開始を指示する垂直同期開始信号ＳＴＶ、及びゲートオン電圧Ｖｏｎの出力時期を制御するゲートクロック信号ＣＰＶなどを含んでもよい。
【００４０】
データ制御信号ＣＯＮＴ２は、映像データＤＡＴの入力開始を指示する水平同期開始信号ＳＴＨ、及びデータ線Ｄ１−Ｄｍに当該データ電圧の印加を指示するロード信号ＴＰなどを含んでもよい。
【００４１】
表示パネル３００の複数のゲート線Ｇ１−Ｇｎはゲート駆動部４００と接続されており、ゲート駆動部４００は、信号制御部６００から印加されたゲート制御信号ＣＯＮＴ１により、ゲートオン電圧Ｖｏｎとゲートオフ電圧Ｖｏｆｆを交互にゲート線Ｇ１−Ｇｎに印加する。ゲートオン電圧Ｖｏｎは順次に各ゲート線Ｇ１−Ｇｎに印加される。
【００４２】
表示パネル３００の複数のデータ線Ｄ１−Ｄｍはデータ駆動部５００と接続されており、データ駆動部５００は、信号制御部６００からデータ制御信号ＣＯＮＴ２及び映像データＤＡＴが伝達される。データ駆動部５００は、階調電圧生成部（図示せず）で生成された階調電圧を利用して映像データＤＡＴをデータ電圧に変換し、これをデータ線Ｄ１−Ｄｍに伝達する。
【００４３】
表示パネル３００は、信号制御部６００の制御によって静止画と動画を表示することができる。連続する複数のフレームが、同一の映像データを有していれば静止画を表示し、互いに異なる映像データを有していれば動画を表示するようになる。信号制御部６００は、静止画を表示するときに画像を表示する静止画の周波数を、動画を表示するときに画像を表示する動画の周波数より低い低周波数で表示することができる。これだけでなく、本発明の実施形態による信号制御部６００においては、静止画のうちの一定の要件に対応する場合には、静止画の周波数よりさらに低い１０Ｈｚ以下の超低周波数で駆動する。ここで、一定の要件とは、超低周波数で表示パネル３００を駆動しても表示品質に問題がない場合であり、以下、その例として表示画面の大部分が黒色と白色からなる図書や論文を表示するテキスト画面を中心に説明する。しかし、実施形態によっては、テキスト画面以外の画面でも超低周波数で駆動することもできる。
【００４４】
即ち、本発明の実施形態による表示装置においては、動画を表示するときには動画の周波数で駆動し、静止画を表示するときには静止画の周波数で駆動し、テキスト画面では１０Ｈｚ以下の超低周波数で駆動する。以下の本実施形態では、動画の周波数として６０Ｈｚを使用し、静止画の周波数としては３０Ｈｚを使用する。
【００４５】
信号制御部６００において、テキスト画面に該当するのか把握して、表示装置３００の駆動周波数及び多様な初期レジスタ値を選択する駆動条件設定部６０１について、図２を参照して説明する。
【００４６】
図２は、本発明の一実施形態による信号制御部のうちの駆動条件設定部のブロック図である。
【００４７】
信号制御部６００は、外部のグラフィック処理部１０から入力された入力データ（ｉｎｐｕｔ  ｄａｔａ）及びＰＳＲ信号に基づいて静止画と動画に区分して、静止画の周波数または動画の周波数で表示パネル３００を動作するようにする。このとき、外部から提供される区分は動画か静止画かの区分だけであるが、本発明の実施形態による表示装置１００は、テキスト画面のような一定の要件の画面に対しては１０Ｈｚ以下の超低周波数でも駆動する。したがって、テキスト画面のような一定の要件の画面に対応するのか確認する必要があり、これは図２に示された駆動条件設定部６０１で判断する。
【００４８】
駆動条件設定部６０１では、表示パネル３００が駆動される駆動周波数と必要な初期レジスト値を決定し、データ駆動部５００に伝達するために入力データ（ｉｎｐｕｔ  ｄａｔａ）を映像データＤＡＴに変換する処理は、駆動条件設定部６０１でない信号制御部６００の他の部分で行われる。これについては多様な実施形態が存在し、別途に制限されない。
【００４９】
以下、駆動条件設定部６０１について詳細に説明する。
【００５０】
駆動条件設定部６０１は、ＰＳＲ信号に基づいて動画の入力データ（ｉｎｐｕｔ  ｄａｔａ）、即ち、前のフレームの入力データと異なる入力データが入力されると、動画の周波数６０Ｈｚ）で表示パネル３００、データ駆動部５００、及びゲート駆動部４００が動作するように駆動周波数及び初期レジスト値を選択して、信号制御部６００がこれに基づいて表示パネル３００を制御するようにする。
【００５１】
一方、ＰＳＲ信号に基づいて静止画である入力データ、即ち、前のフレームの入力データと同程度の入力データが入力されると、静止画の周波数（例えば、３０Ｈｚ以上、４０Ｈｚ以下の周波数で、本実施形態では３０Ｈｚ）で表示パネル３００、データ駆動部５００、及びゲート駆動部４００が動作するように駆動周波数及び初期レジスト値を選択して、信号制御部６００がこれに基づいて表示パネル３００を制御するようにする。
【００５２】
また、ＰＳＲ信号に基づいて静止画である入力データは、一定の要件に該当する場合（即ち、テキスト画面の場合）には、静止画の周波数より低い１０Ｈｚ以下の超低周波数で駆動する。テキスト画面であるか否かは駆動条件設定部６０１で判断され、図２の実施形態ではヒストグラムチェック（Histogram Check）及びグレーチェック（Gray Check）によって行われる。
【００５３】
駆動条件設定部６０１は、入力データとして、動画が入力されるか、または静止画が入力されても常に動作してもよく、実施形態によっては、静止画が入力された場合に限って動作してもよい。
【００５４】
以下、図２の実施形態による駆動条件設定部６０１について詳細に説明する。
【００５５】
駆動条件設定部６０１は、入力データ（ｉｎｐｕｔ  ｄａｔａ）がテキスト画面であるかを把握するために入力データの伝達を受ける。駆動条件設定部６０１に入力された入力データ（ｉｎｐｕｔ  ｄａｔａ）は、それぞれヒストグラムチェック部６１０及びグレーチェック部６２０に入力される。本実施形態による駆動条件設定部６０１ではヒストグラムチェック部６１０で行われるヒストグラムチェックと、グレーチェック部６２０で行われるグレーチェックによってテキスト画面であるかを判断する。ヒストグラムチェックとグレーチェックで全てテキスト画面と判断された場合（ＡＮＤ条件）に、超低周波駆動用テキスト画面と判断するか、または二つのチェックのいずれか一つだけでもテキスト画面と判断された場合（ＯＲ条件）に、超低周波駆動用テキスト画面と判断することができる。
【００５６】
先ず、ヒストグラムチェック部６１０について説明する。
【００５７】
ヒストグラムチェック部６１０は、入力データのうちの１フレームのデータを、階調を基準に順次に総３個の領域（低階調領域、中間階調領域、及び高階調領域）に区分し、この中で両端の領域である低階調領域と高階調領域に一定比率以上のデータが含まれている場合であるかをチェックする。このように低階調領域と高階調領域に一定比率以上のデータが分布されている場合は、黒／白に表示される部分が多い場合であり、画面に表示されるものの大部分がテキストである場合を意味する。また、３個の領域に分ける境界置を調整すれば、低階調領域と高階調領域に含まれるデータの比率が変化するようになるので、図書や論文などのテキスト画面であるか否かを確認することができる。区分された各領域に属する比率を利用して判断した結果、テキスト画面である場合には、使用者が当該画面を読むのに時間がかかって画面をあまり変動しないため、１０Ｈｚ以下の超低周波数で画面を表示しても秒当たり数回（１０回以下）画面がリフレッシュ（ｒｅｆｒｅｓｈ）されるだけであるので、使用者が画面を見るのに問題がない。
【００５８】
本発明の実施形態によるヒストグラムチェック方式は、図３及び図４にも示されている。
【００５９】
図３及び図４は、本発明の一実施形態によるヒストグラムチェックの例である。
【００６０】
図３では、１フレームのデータを、階調を基準に１領域（低階調領域）、２領域（中間階調領域）、３領域（高階調領域）のいずれの領域に属するのかを区分し、各領域に含まれているデータの個数を把握した図面である。
【００６１】
図３では、低階調領域と高階調領域を分ける基準として、２５６個の階調（０から２５５階調まで）で５階調及び２５０階調を使用した。中間階調領域は６階調から２４９階調までの広い階調範囲を含むが、これはテキスト画面であるかをより厳密に区分するために設定されたものである。この数値は実施形態によって変更可能である。
【００６２】
図３のグラフでは、１フレームの映像データを各階調別に区分して個数で示したが、実際ヒストグラムチェックでは３個の領域（１領域、２領域、３領域）にそれぞれ含まれているデータの個数だけが必要であるので、図４のように把握してもよい。図４に示したように３個の領域に含まれているデータの個数を基準として、１領域及び３領域に属したデータの比率を基準にヒストグラムチェックを行うことで、テキスト画面に該当するのかを判断する。
【００６３】
図３及び図４の実施形態では、中間階調領域の２領域にはデータが含まれていないので、入力データテキスト領域に該当するデータであることが明確である。しかし、入力データの一部に中間階調が含まれてもＰＳＲ信号上では静止画の信号とみなすことができ、テキスト画面に準じて超低周波数で駆動することができる。本実施形態では、中間階調領域に属するデータの数が１フレームの総データ数の１５％未満である場合、即ち、低階調領域と高階調領域に含まれているデータの数が１フレームの総データ数の８５％以上である場合には、テキスト画面に準ずると判断する。しかし、８５％の数値も実施形態によって変動できる。
【００６４】
一方、以下にグレーチェック部６２０について説明する。
【００６５】
図２を参照すれば、入力データ（ｉｎｐｕｔ  ｄａｔａ）はグレーチェック部６２０にも入力される。グレーチェック部６２０では、１フレームのデータのうちの特定個数以上のデータを有する主要階調（ｄｏｍｉｎａｎｔ  ｇｒａｙ）の個数を把握し、その個数が一定数以下である場合にはテキスト画面と認識する。
【００６６】
即ち、１フレームのデータの中で多様な階調（または色）を含まないで、少数の階調（または色）だけが含まれている場合は、図書や論文のようなテキスト画面とみなすことができて、超低周波数で表示しても画像認識に問題がないからである。
【００６７】
このような、グレーチェックについては図５に示している。
【００６８】
図５は、本発明の一実施形態によるグレーチェックの例である。
【００６９】
図５では、各階調別に１フレームのデータのうちの該当するデータの数を棒グラフに示した図面である。
【００７０】
図５において、グラフ中に示した１本の水平線は、主要階調なのかを判断する基準である特定個数を示した線であって、図５では１フレームの全体データのうちの０．５％を基準にした。即ち、図５の実施形態では特定個数（全体データのうちの０．５％）以上である場合に該当する階調を主要階調と見て、その数を把握するようになる。
【００７１】
このように把握された主要階調の数が一定数以下である場合にはテキスト画面と認識するが、本実施形態では一定数を１０個に設定した。図５の実施形態では特定個数以上の主要階調の数が総８個である。したがって、テキスト画面に対応する。
【００７２】
一定数及び特定個数についても、実施形態によって多様な値を設定することができる。
【００７３】
さらに図２を参照すれば、ヒストグラムチェック部６１０とグレーチェック部６２０の出力が併合部６３０に伝達される。ヒストグラムチェック部６１０とグレーチェック部６２０の出力は、入力された１フレームの入力データが当該条件によってテキスト画面と認定されたか否かに対する信号を併合部６３０に出力する。
【００７４】
併合部６３０は、ヒストグラムチェック部６１０の出力とグレーチェック部６２０の出力が全てテキスト画面であるという信号が印加されるときだけテキスト画面であるという信号を出力し、それ以外の場合には全てテキスト画面でないという信号を出力する。即ち、テキスト画面という信号を１とし、そうでない場合を０とするとき、ＡＮＤ演算を行ってその結果を出力する。しかし、実施形態によっては、ＯＲ演算を行ってその結果を出力してもよい。即ち、併合部６３０は、ヒストグラムチェック部６１０の出力とグレーチェック部６２０の出力のうちの少なくとも一つがテキスト画面であるという信号であれば、テキスト画面の信号を出力し、それ以外の場合だけにテキスト画面でないという信号を出力してもよい。
【００７５】
ＡＮＤ演算を行う時とＯＲ演算を行う時に、ヒストグラムチェック部６１０とグレーチェック部６２０で設定されている数値は互いに異なってもよい。
【００７６】
その後、併合部６３０の出力がテキスト画面であるという信号の場合には、周波数選択部６４０では１０Ｈｚ以下の超低周波数に選択する。併合部６３０の出力がテキスト画面でないという信号の場合には、周波数選択部６４０では３０Ｈｚ以上、４０Ｈｚ以下に設定されている低周波数を選択する。
【００７７】
その後、レジスタ選択部６５０では、選択された周波数（超低周波数または低周波数）により表示パネル３００の多様な設定値も選択して、当該レジスタ値で表示パネル３００が駆動するようにする。レジスタ値には、表示パネル３００の駆動時に必要な初期レジスタ値が含まれてもよい。
【００７８】
周波数選択部６４０とレジスタ選択部６５０で選択された駆動周波数と初期レジスタ値は、信号制御部６００で表示パネル３００、ゲート駆動部４００、及びデータ駆動部５００を制御するのに使用される。
【００７９】
実施形態によっては、周波数選択部６４０とレジスタ選択部６５０が一つのブロックで構成されてもよい。
【００８０】
一方、ＰＳＲ信号で動画である場合にも、入力データを図２のブロックを通るようにしてもよい。しかし、ヒストグラムチェック及びグレーチェックは、超低周波駆動が可能であるかを判断するものであるため、動画である場合には図２のブロックを通らないで表示パネル３００を動画の周波数（６０Ｈｚ）で駆動することもできる。
【００８１】
また、信号制御部６００でデータ駆動部５００に伝達される映像データＤＡＴは、図２の駆動条件設定部６０１と別途のルートを通して入力データ（ｉｎｐｕｔ  ｄａｔａ）が映像データＤＡＴに変換されて伝達される。
【００８２】
本発明の実施形態による表示装置１００で動画を表示する場合、静止画を表示する場合及びテキスト画面を表示する場合について、図６乃至図８で比較して示した。
【００８３】
図６乃至図８は、本発明の一実施形態による表示装置で画像を表示する方式を簡略化して示した図面である。
【００８４】
先ず、図６では、動画を表示する場合で、６０Ｈｚで駆動して１秒に６０回画面を表示することを、簡略的に６個の画面だけを表示して示した。
【００８５】
これに反し、図７では、静止画を表示する場合で、３０Ｈｚで駆動して１秒に３０回画面を表示することを、簡略的に３個の画面だけを表示して示した。
【００８６】
最後に、図８では、テキスト画面を表示する場合で、１０Ｈｚで駆動して１秒に１０回画面を表示することを、簡略的に１個の画面だけを表示して示した。
【００８７】
図６乃至図８に示したように、駆動周波数を低くして表示しても問題がない画面は、低周波数やそれよりさらに低い超低周波数で駆動するようにして消費電力を減少させることができる。
【００８８】
以下、図９乃至図１２を参照して、本発明の一実施形態による表示装置の特性について説明する。
【００８９】
図９乃至図１１は、本発明の一実施形態による表示装置で階調による特性変化を示した図面であり、図１２は、本発明の一実施形態による表示装置の消費電力の減少率を示した図面である。
【００９０】
先ず、図９では、テキスト映像でない１フレームのデータを階調別に分析したグラフである。図９に示したように、多様な階調のデータが全て含まれている。このような映像データは、静止画であっても中間階調でデータの漏れ（ｌｅａｋａｇｅ）によってフリッカが視認される可能性があって、静止画の周波数を低くするのに限界があるため、３０Ｈｚ以上の低周波数で駆動する。
【００９１】
しかし、図書や論文のようなテキスト画面は、大部分の階調値がホワイトとブラックからなっていて、高階調と低階調値を有するのでデータの漏れが少なく、超低周波数で駆動してもフリッカが視認されない。
【００９２】
ここで、データの漏れ（ｌｅａｋａｇｅ）については、図１０及び図１１を参照して説明する。
【００９３】
先ず、図１０は、電圧による透過率のグラフが示されている。
【００９４】
図１０に示したように、低電圧領域（低階調）や高電圧領域（高階調）とは異なり、中間領域（中間階調）では曲線の傾きが大きいことが分かる。即ち、中間領域の部分のみにおいて電圧の変化に対して透過率の変化が大きい。
【００９５】
一般に、液晶表示装置は、液晶キャパシタに充電された電圧が、時間が経過するほど漏洩電流によって減少する。特に、低周波駆動の場合、液晶キャパシタの一端（または画素電極）に充電された電圧が漏洩する時間が長くなって、画素電極の電圧変化が大きくなる。このような電圧の変化は、高階調領域や低階調領域では輝度差が大きくないために視認されないが、中間階調領域では電圧変化による輝度変化が大きいために使用者に視認されうる。
【００９６】
図１１は、中間階調領域で同一の階調を表示しても、時間の経過に伴って輝度が変化することをグラフに示している。
【００９７】
図１１に示したように、中間階調領域では時間の経過に従って輝度が変化し、具体的には輝度が低下し、使用者はこれを見るとき、輝度変化によるフリッカと認識する。
【００９８】
その結果、静止画でも中間階調領域の階調が一定水準以上含まれる場合には、使用者がフリッカを視認する可能性があって、駆動周波数を超低周波数に低めないことがある。
【００９９】
したがって、図２に示したように、本発明の一実施形態ではヒストグラムチェックとグレーチェックによって中間階調が少ないテキスト画面であるかを判断した後に、テキスト画面である場合には超低周波数で駆動するようにする。
【０１００】
図１２は、本発明の実施形態による表示装置で消費電力の減少を示している。図１２において、ｘ軸は駆動周波数であり、ｙ軸は消費電力減少率で、６０Ｈｚで駆動するときの消費電力を基準にした減少率である。
【０１０１】
図１２に示したように、６０Ｈｚの駆動周波数から３０Ｈｚに駆動周波数を減らせば、消費電力が１６％程度減少するのを確認できる。また、１０Ｈｚ以下で駆動する場合、少なくとも２７％の消費電力が減少し、１Ｈｚで駆動する場合には約３２％の消費電力が減少する。
【０１０２】
このような消費電力の減少を考慮するとき、バッテリを使用するノートパソコンまたはタブレットＰＣは、フル充電（full charging）の場合１０時間２２分の間で使用できたのであるが、本発明の超低周波を使用することにより、１０時間４６分の間で使用できるようになる。
【０１０３】
したがって、本発明の実施形態のようにバッテリを有する表示装置において、使用者がテキスト画面だけを視認する場合には、従来の表示装置に比べてさらに長い間画像を表示できる長所がある。
【０１０４】
以下、図１３を参照して、本発明の他の実施形態による駆動条件設定部６０１について説明する。
【０１０５】
図１３は、本発明の他の実施形態による信号制御部のうちの駆動条件設定部６０１のブロック図である。
【０１０６】
図１３の実施形態は図２の実施形態と類似しているが、グレーチェック部６２０の出力が併合部６３０に伝達されること以外に、周波数選択部６４０にも直接的に伝達される差異がある。
【０１０７】
即ち、図１３は、図２とヒストグラムチェック部６１０、グレーチェック部６２０、併合部６３０、周波数選択部６４０、及びレジスタ選択部６５０を含むという点で類似しているが、周波数選択部６４０内にルックアップテーブル（ＬＵＴ）６４５を有し、グレーチェック部６２０で主要階調（ｄｏｍｉｎａｎｔ  ｇｒａｙ）の値をルックアップテーブル６４５に伝達し、それによってルックアップテーブル６４５内の駆動周波数を選択し、選択された駆動周波数（ｆｒｅｑｕｅｎｃｙ  ｖａｌｕｅ）をレジスタ選択部６５０に伝達して当該駆動周波数によるレジスタ値を選択して、表示パネル３００、データ駆動部５００、及びゲート駆動部４００が動作するようにする。
【０１０８】
即ち、図１３の実施形態は、図２の実施形態のようにヒストグラムチェックとグレーチェックによってテキスト画面であると判断された場合、超低周波数を選択しレジスタを選択して、表示パネル３００、データ駆動部５００、及びゲート駆動部４００が超低周波数で動作するようにする。一方、テキスト画面でない場合には低周波数で動作するようにしてもよい。しかし、併合部６３０の出力は、周波数選択部６４０で超低周波数を選択してもよいのか否かの情報だけを提供し、実際の駆動周波数を選択するのは主階調の値によって選択されてもよい。このために、図１３ではグレーチェック部６２０から周波数選択部６４０に直接的に主階調（ｍａｉｎ  ｇｒａｙ）の値を出力するルートを含む。ここで、主階調は最も多い個数のデータを含む階調であってもよい。このルートは、１フレームのデータがテキスト画面でない一般の映像データである場合にも、映像の主階調値に基づいて駆動周波数を変更して消費電力を減少させることができるようにするルートである。また、図１３の実施形態は、表示される画像の背景が主階調と関連するので、背景によってそれぞれ異なる駆動周波数で駆動するようにすることができるという差異がある。
【０１０９】
即ち、グレーチェック部６２０は、１フレームのデータのうちの特定個数以上のデータを有する主要階調の個数を把握し、一定数以下である場合にはテキスト画面と認識して、これを併合部６３０に伝達するだけでなく、１フレームのデータのうちの主階調の値を把握して、これを周波数選択部６４０のルックアップテーブル６４５に伝達する。主階調の値は、１フレームのデータのうちの最も多く含まれている階調であってもよい。
【０１１０】
ルックアップテーブル６４５には主階調の値に対応する駆動周波数が保存されており、主階調に対応する駆動周波数を探し、これをレジスタ選択部６５０に伝達する。
【０１１１】
ルックアップテーブル６４５に保存されている駆動周波数と主階調との関係に対する一実施形態は図１４に示されている。
【０１１２】
図１４は、図１３の実施形態で階調による駆動周波数を示したグラフである。
【０１１３】
図１４のグラフは、主階調値に対する駆動周波数値の一例のグラフで、動画の周波数が６０Ｈｚで最大の駆動周波数値である。
【０１１４】
図１４に示したように、一般に映像データの主階調値が中間階調のときには、最大駆動周波数の６０Ｈｚまたはそれに準ずる高周波数を駆動周波数にする。しかし、低階調と高階調に向かうほど駆動周波数は低い値を含んでいる。
【０１１５】
これは、高階調と低階調を主階調として含む画面は、相対的に低い駆動周波数で表示しても表示品質の低下が少ないためである。
【０１１６】
ルックアップテーブル６４５における主階調値と駆動周波数との関係は、図１４とは異なる関係を有してもよい。
【０１１７】
以下、空間周波数（ｓｐａｔｉａｌ  ｆｒｅｑｕｅｎｃｙ）によって表示装置の駆動周波数を異なるようにする実施形態について説明する。
【０１１８】
先ず、図１５を参照して、空間周波数について説明する。
【０１１９】
図１５は、空間周波数による表示特性を示したグラフである。
【０１２０】
図１５は、空間周波数によって人がコントラスト比（ｃｏｎｔｒａｓｔ  ｒａｔｉｏ）を認知する程度を示したグラフである。図１５には、成人と子供とで互いに異なる特性を有することも示されている。空間周波数は、一般に空間の1ユニット当たりの繰り返し構造の特性を指す。理論に結びつけられること無しに、1つの側面においては、人間の特性の認識は、各々が正弦関数の空間周波数を持っている多くのサブ特性の数学的な合計を含んでいるかもしれない。人間が数学的な合計を知覚するので、合計された特性は、サブ特性の識別可能な正弦関数の周期性を有すること無く、「滑らかなこと（smooth）」ととらえられる。人間の知覚中の空間周波数は、視角の度当たりのサイクルの数で表現することができる。
【０１２１】
成人の場合、３ｃｙｃｌｅ／ｄｅｇｒｅｅの空間周波数で最もコントラスト比をよく感じることが分かる。ここで、３ｃｙｃｌｅ／ｄｅｇｒｅｅの空間周波数は、１度の視野角内で３周期を有する画素値の変化を意味する。
【０１２２】
このようにコントラスト比がよく感じられる領域では、低周波で駆動する場合、フリッカをより容易に視認する。したがって、空間周波数を考慮してコントラスト比をあまり感じられない領域で低周波数または超低周波で駆動し、コントラスト比をよく感じる領域では一般駆動周波数で駆動することができる。
【０１２３】
即ち、本発明の実施形態では低周波数または超低周波数で駆動する画像イメージで空間周波数も分析して、使用者がフリッカをあまり感じられない場合だけに低周波数または超低周波数で駆動するようにし、フリッカをよく感じる場合には低周波数または超低周波数での駆動を制限する。
【０１２４】
このように、空間周波数を考慮する信号制御部６００の駆動条件設定部６０１は図１６に示している。
【０１２５】
図１６は、本発明の他の実施形態による信号制御部のうちの駆動条件設定部６０１のブロック図である。
【０１２６】
信号制御部６００の駆動条件設定部６０１は、空間周波数分析部６１５、視力適用部６２５、周波数選択部６４０、及びレジスタ選択部６５０を含む。
【０１２７】
空間周波数分析部６１５は、表示装置が表示する画像や使用環境に基づいて表示装置と使用者間の距離を予測し、それに基づいて空間周波数を抽出する。
【０１２８】
抽出された空間周波数値は視力適用部６２５に伝達され、図１５のグラフにおいて、表示装置を使用する平均年令の人の空間周波数による人のコントラスト比の認知程度（ｓｅｎｓｉｔｉｖｉｔｙ）を把握する。
【０１２９】
把握されたコントラスト比の認知程度は周波数選択部６４０に伝達され、把握されたコントラスト比の認知程度が一定水準以上である場合には、超低周波数を駆動周波数と選択せず、一定水準未満である場合には超低周波数を駆動周波数と選択して駆動する。
【０１３０】
また、選択された駆動周波数によってレジスタ選択部６５０も、選択された駆動周波数による初期値を選択して、表示パネル３００が動作するようにする。
【０１３１】
把握されたコントラスト比の認知程度（ｓｅｎｓｉｔｉｖｉｔｙ）が一定水準以上である場合には、使用者がフリッカを視認する可能性が高くて超低周波数では駆動せず、一定水準未満のときに超低周波数を駆動周波数と選択して駆動する。
【０１３２】
図１６の実施形態は、図２または図１３の実施形態のように画像データを把握する実施形態と共に適用できる。即ち、図２または図１３の実施形態のように画像データを把握して超低周波数でも駆動が可能であると判断された場合においても、図１６の実施形態によって把握されたコントラスト比の認知程度（ｓｅｎｓｉｔｉｖｉｔｙ）が一定水準以上である場合には、超低周波数で駆動しないように制御することができる。
【０１３３】
一方、空間周波数分析部６１５では表示装置と使用者の間の距離値に基づいて空間周波数を分析するが、このために表示装置１００が使用者までの距離を把握するカメラ１１０をさらに含んでもよい。
【０１３４】
これについては、図１７及び図１８を参照して説明する。
【０１３５】
図１７は、本発明の他の実施形態による表示装置のブロック図であり、図１８は、図１７の実施形態による信号制御部のうちの駆動条件設定部６０１のブロック図である。
【０１３６】
図１７には、カメラ１１０が使用者と表示装置１００間の距離を把握するために含まれている構造が示されている。
【０１３７】
また、図１８では、信号制御部６００の駆動条件設定部６０１に入力されるデータは、入力データと共に使用者までの距離値が入力される。
【０１３８】
入力された使用者までの距離値は空間周波数分析部６１５に入力されて、距離値に基づいて空間周波数を算出する。
【０１３９】
それ以後の構造は図１６と同一である。
【０１４０】
図１７及び図１８の実施形態は、使用者の位置によって空間周波数をさらに明確に把握できるので、１０Ｈｚ以下の超低周波数で駆動するとき、使用者が位置に関係なくフリッカを感じないようにするという長所を有する。
【０１４１】
以下、図１９を利用して、本発明の実施形態による表示装置の駆動方法について説明する。
【０１４２】
図１９は、本発明の一実施形態による表示装置の駆動方法に対するフローチャートである。
【０１４３】
表示装置の外部に位置するグラフィック処理部１０から表示装置１００の信号制御部６００に入力データ（ｉｎｐｕｔ  ｄａｔａ）が印加（Ｓ１０）される。このとき、ＰＳＲ信号も共に印加されることができる。
【０１４４】
印加された入力データは、信号制御部６００内の駆動条件設定部６０１で分析（Ｓ２０）されて、動画、または静止画、またはテキスト画面に分類される。ここで、テキスト画面への分類は、図２または図１３に示したようにヒストグラムチェックやグレーチェックによって行われる。また、動画か静止画かはＰＳＲ信号によって分類される。
【０１４５】
印加された入力データの分類によって駆動周波数が選択（Ｓ３０）される。即ち、入力データが動画である場合には、動画の周波数（６０Ｈｚ）を駆動周波数に選択し、入力データが静止画である場合には、動画の周波数より低い３０Ｈｚ以上、４０Ｈｚ以下の静止画の周波数を駆動周波数に選択し、テキスト画面である場合には、１０Ｈｚ以下の超低周波数を駆動周波数に選択する。
【０１４６】
その後、選択された駆動周波数によってレジスタ値が選択（Ｓ４０）される。
【０１４７】
以上のような順序によって本発明の実施形態による表示装置が駆動されることができる。
【０１４８】
しかし、実施形態によっては空間周波数が考慮されてもよい。即ち、空間周波数によって使用者のコントラスト比の認知程度を把握する段階（Ｓ２５）をさらに含んでもよい。駆動周波数を選択する段階（Ｓ３０）では把握されたコントラスト比の認知程度により、テキスト画面である場合にも１０Ｈｚ以下の超低周波数を駆動周波数に選択しないようにすることができる。即ち、コントラスト比の認知程度（ｓｅｎｓｉｔｉｖｉｔｙ）が一定水準以上である場合には超低周波数を駆動周波数に選択せず、一定水準未満である場合には超低周波数を駆動周波数に選択して駆動することにより、使用者がフリッカを視認しないようにする。
【０１４９】
図１９のフローチャートにおいては、テキスト画面であるかを分析する段階（Ｓ２０）と、空間周波数を判断する段階（Ｓ２５）とが共に含まれている。しかし、このうちの空間周波数を判断する段階（Ｓ２５）が省略されてもよい。
【０１５０】
以上では動画の周波数を６０Ｈｚに、静止画の周波数を３０Ｈｚ以上、４０Ｈｚ以下に使用する実施形態を中心に説明した。しかし、動画の周波数は１２０Ｈｚ、２４０Ｈｚのように高速駆動が行われ、静止画の周波数は動画の周波数の半分以上、２／３以下の値を有してもよい。
【０１５１】
以上のように、表示装置に入力される画像データのパターンがテキスト画面のように１０Ｈｚ以下の超低周波で駆動しても画像品質に問題がない場合には、超低周波で駆動するようにして表示装置の消費電力を減らす。また、実施形態によっては、空間周波数による使用者のコントラスト比（ｃｏｎｔｒａｓｔ  ｒａｔｉｏ）を認知程度によってテキスト画面のような画像データも超低周波で駆動しないようにして、フリッカが使用者に視認されないようにする。
【０１５２】
以上、本発明の好ましい実施形態について詳細に説明したが、本発明の権利範囲はこれに限定されず、特許請求の範囲で定義している本発明の基本概念を利用した当業者の種々の変形及び改良形態も本発明の権利範囲に属するものである。
【符号の説明】
【０１５３】
１０  グラフィック処理部
１００  表示装置
１１０  カメラ
３００  表示パネル
４００  ゲート駆動部
５００  データ駆動部
６００  信号制御部
６０１  駆動条件設定部
６１０  ヒストグラムチェック部
６１５  空間周波数分析部
６２０  グレーチェック部
６２５  視力適用部
６３０  併合部
６４０  周波数選択部
６４５  ルックアップテーブル
６５０  レジスタ選択部
【図１】
2014215612.tif 000003
【図２】
2014215612.tif 000004
【図３】
2014215612.tif 000005
【図４】
2014215612.tif 000006
【図５】
2014215612.tif 000007
【図６】
2014215612.tif 000008
【図７】
2014215612.tif 000009
【図８】
2014215612.tif 000010
【図９】
2014215612.tif 000011
【図１０】
2014215612.tif 000012
【図１１】
2014215612.tif 000013
【図１２】
2014215612.tif 000014
【図１３】
2014215612.tif 000015
【図１４】
2014215612.tif 000016
【図１５】
2014215612.tif 000017
【図１６】
2014215612.tif 000018
【図１７】
2014215612.tif 000019
【図１８】
2014215612.tif 000020
【図１９】
2014215612.tif 000021